(57)【要約】【課題】折畳み方式で体積を最小にして、移動および保管を便利にし、画板またはキャンバスをより安定に支持することが可能なイーゼルを提供する。【解決手段】２本の前方支持脚を軸支するため、左右側に結合孔を有する一字部と、前記一字部の左右側から放射状に伸び、２本の後方支持脚を軸支するため、結合孔を有する延長部とを含んでなるメインフレームに加え、２本の前方支持脚および２本の後方支持脚を含む。【選択図】図２
0003111408.tif 000002
【実用新案登録請求の範囲】
【請求項１】
折畳み式支持脚を備え、画板の背面を支持するイーゼル用メインフレームにおいて、
２本の前方支持脚を軸支するため、左右側に結合孔を有する一字部と、
前記一字部の左右側から放射状に伸び、２本の後方支持脚を軸支するため、結合孔を有する延長部とを含んでなることを特徴とするイーゼル用メインフレーム。
【請求項２】
イーゼルにおいて、
画板の背面を支持するメインフレームと、
前記メインフレームの下端に、長さ調整が可能で一定角度に拡開および折畳み可能であるように軸支され、前記メインフレームを支持する支持脚と、
前記支持脚に設けられた支持台結合具に結合される画板支持台とを含んでなり、
前記メインフレームの下端部に軸支される支持脚が４本であることを特徴とするイーゼル。
【請求項３】
前記メインフレームは、
２本の前方支持脚を軸支するため、左右側に結合孔を有する一字部と、
前記一字部の左右側から放射状に伸び、２本の後方支持脚を軸支するため、結合孔を有する延長部とを含んでなることを特徴とする請求項２に記載のイーゼル。
【請求項４】
互いに対向する前記前方支持脚と前記後方支持脚の部分にそれぞれ半球形挿合凹部が形成され、前記挿合凹部に亜鈴形支持棒の両端部の挿合部が着脱可能に挿合されることを特徴とする請求項３に記載のイーゼル。
【請求項５】
前記支持脚は断面方形の管部材からなり、その外周面には多数の谷部が形成され、伸縮して長さ調整された単位脚管は固定クランプにより互いに固定されることを特徴とする請求項２〜４のいずれか一項に記載のイーゼル。
【考案の詳細な説明】
【技術分野】
【０００１】
本考案はイーゼル用メインフレームおよびこれを含むイーゼルに係り、より詳しくは画板またはキャンバスをより安定に支持し得るイーゼル用メインフレームおよびこれを含むイーゼルに関するものである。
【背景技術】
【０００２】
イーゼルは、絵を描くとき、画板またはキャンバスを安定に支持するための支持台で画架である。かかるイーゼルは、形態によって梯形のイーゼルと五徳型のイーゼルに区分される。
【０００３】
梯形フレーム形態のイーゼルとしては、特許文献１に開示されたものがある。かかる梯形フレーム形態のイーゼルは、描きを終了してから移動したり、片付けたりするとき、背面に設けられた補助脚を折畳むことになる。この際、梯形フレームは、折畳まれない固定状態のもので、そのサイズが大きくて移動が容易でなく、整理整頓に多くの空間を占めるなどの問題点があった。
【０００４】
このような梯形フレーム形態のイーゼルの欠点を補完して、上端を中心に下方に拡開され、折畳みおよび伸縮の可能な三つの支持脚を備えて、移動および片付けの際に体積を最少にし得る五徳型のイーゼルが開発されて広く使用されている。このような五徳型のイーゼルは、特許文献２に開示されている。
【０００５】
前記特許文献２に開示されたイーゼルを図１に示す。このイーゼルは、特許文献２の請求範囲に開示されているように、画板１００を搭載して絵が描けるようになった五徳型のイーゼルにおいて、前記五徳型イーゼルを構成するメインフレーム１０の下端に、長さ調整が自由で一定角度に折畳まれるように結合される三つの支持脚３０を、それぞれ下端に離脱防止用キャップ３５が結合された上側単位脚管の内部に、上端に形成された半円形凹部に上端の半径より大きな一側面を有する固定具を偏心状態で軸支しスプリング４１で弾支した下側単位脚管を挿設して構成したもので、下側単位脚管の回転方向と反対方向に回転しながら拡張および収縮する固定具の外面が上側単位脚管の内面を押圧および解除することにより、支持脚の長さが調整できるようにしたものである。図１において、未説明符号２０はクランプ、５０は支持台結合具、６０は画板支持台、６１は蝶番である。
【０００６】
このような五徳型イーゼルはつぎのような根本的な問題点があった。画板は支持脚の第１節とメインフレームのクランプ間に固定される関係で、全体としての重さ中心が上側に位置するので、不安定な状態で作業を行わなければならなく、特に風が吹くか、あるいは他人または自身の不注意で画板を触れると、易く倒れるなどの不安定な問題がある。このような転倒を防止するためには、脚の端部を地面などに固定しなければならない面倒さがある。
【特許文献１】大韓民国実用新案登録公報第１３１６１３号明細書
【特許文献２】大韓民国実用新案登録公開公報第１９９９−３５７７３号明細書
【考案の開示】
【考案が解決しようとする課題】
【０００７】
したがって、本考案は前記のような問題点を解決するためになされたもので、その目的は、折畳み方式で体積を最小にして、移動および保管を便利にしたイーゼルを提供することにある。
【０００８】
本考案のほかの目的は、従来の五徳型イーゼルに比べて、画板またはキャンバスをより安定に支持することができるイーゼルを提供することにある。
【課題を解決するための手段】
【０００９】
上記目的を達成するため、本考案は、折畳み式支持脚を備え、画板の背面を支持するイーゼル用メインフレームにおいて、２本の前方支持脚を軸支するため、左右側に結合孔を有する一字部と、前記一字部の左右側から放射状に伸び、２本の後方支持脚を軸支するため、結合孔を有する延長部とを含んでなることを特徴とするイーゼル用メインフレームを提供する。
【００１０】
この構成によると、簡単な構成で画板などをより安定に支持するように４本の支持脚を軸支することができる利点がある。
【００１１】
また、前記目的を達成するため、本考案は、イーゼルにおいて、画板の背面を支持するメインフレームと、前記メインフレームの下端に、長さ調整が可能で一定角度に拡開および折畳み可能であるように軸支され、前記メインフレームを支持する支持脚と、前記支持脚に設けられた支持台結合具に結合される画板支持台とを含んでなり、前記メインフレームの下端部に軸支される支持脚が４本であることを特徴とするイーゼルを提供する。
【００１２】
この構成によると、折畳みが可能であるので、体積を最小化することができ、イーゼルの移動および保管が便利であり、後方支持脚が２本であるので、従来のイーゼルに比べて、画板などをより安定に支持することができる利点がある。
【００１３】
互いに対向する前記前方支持脚と前記後方支持脚の部分にはそれぞれ半球形挿合凹部が形成され、前記挿合凹部に亜鈴形支持棒の両端部の挿合部が着脱可能に挿合されることができる。
【００１４】
この構成によると、イーゼルの前方から風が吹くか衝撃が加わっても、前方の支持脚が後方に折畳まれてイーゼルが倒れることを防止し、画板などをより安定に支持することができる利点がある。
【００１５】
前記支持脚は断面方形の管部材からなり、その外周面には多数の谷部が形成され、伸縮して長さ調整された単位脚管は固定クランプにより互いに固定されることがよい。
【００１６】
この構成によると、支持脚の拡開および伸張後、固定クランプで固定するとき、固定力をより強化するとともに支持脚の構造定強度を増大することができる利点がある。
【考案の効果】
【００１７】
以上のような本考案によると、折畳み方式で体積を最小にして、移動および保管が便利になる。
【００１８】
また、本考案によると、キャンバスまたは画板をより安定に支持することができる。
【考案を実施するための最良の形態】
【００１９】
以下に添付図面を参照しながら、本考案の好適な実施の形態について詳細に説明する。
【００２０】
図２は本考案の第１実施形態によるイーゼルの斜視図、図３は図２のイーゼルを全く折畳んだ状態を示す斜視図である。
【００２１】
同図に示すように、本考案によるイーゼル２００は、画板の背面を支持するメインフレーム２１０と、前記メインフレーム２１０の下端に、長さ調整が可能で一定角度に拡開および折畳み可能であるように、軸支され、前記メインフレーム２１０を支持する支持脚２２１、２２２、２２３、２２４と、前記支持脚のなかで前方支持脚２２１、２２２に設けられた支持台結合部２３２に結合される画板支持台２３０とからなるもので、従来の折畳み式イーゼルとは異なり、前記メインフレーム２１０の下端部に結合される支持脚が三つでなく四つであることを特徴とする。したがって、五徳型イーゼルの根本的な問題点である不安定性を簡単な構成で画期的に解決したものである。
【００２２】
図４は、本考案の第１実施形態によるイーゼルにおいて、支持脚が結合されたメインフレームの横断面図、図５は本考案の第１実施形態によるメインフレームに支持脚が結合される様子を示す斜視図である。同図に示すように、前記メインフレーム２１０は、底面から見ると、断面略“コ”字形であることを特徴とする。これは、断面略“Ｔ”字形であって、前方に２本の支持脚が軸支され、後方に１本の支持脚が軸支される従来のメインフレームとは全く異なる構成である。
【００２３】
より具体的に、前記のようなメインフレーム２１０は、前面左右側に結合孔２２７を有する一字部２１２と、前記一字部２１２の後方に放射状に伸び、それぞれ結合孔２２７を有する左右延長部２１４、２１６とからなる。前記一字部２１２の結合孔２２７には、前方支持脚２２１、２２２がボルト２２８およびナット２２９により軸支され、前記左右延長部２１４、２１６の結合孔２２７には、後方支持脚２２３、２２４がボルトおよびナット２２９により軸支される。本考案のメインフレーム２１０の構造により、画板をより安定に支持するように、４本の支持脚を結合することができる。
【００２４】
前記支持脚２２１、２２２、２２３、２２４は拡開および伸張の可能な折畳み式構造であり、伸張時の連結部は固定クランプ２２１ａ、２２１ｂ、２２２ａ、２２２ｂ、２２３ａ、２２３ｂ、２２４ａ、２２４ｂにより固定される。前記固定クランプは従来の公知技術と同一であるので、その詳細な説明は省略する。 前記固定クランプによる固定力を増大するとともに支持脚の構造的強度を増大するため、前記支持脚２２１、２２２、２２３、２２４は断面方形の管部材からなり、その外周面には、長手方向に多数の谷部２２６が形成されている。
【００２５】
前記メインフレーム２１０の一字部の内側に形成された支持バー通過孔２１９に上下移動可能に結合される支持バー２４０は画板の背面を支持し、支持バー２４０の上端部には、画板の上部を固定する画板上部固定部２４２が設けられている。前記支持バー２４０は、前記メインフレーム２１０に取り付けられた支持バー固定具２１８により固定される。前記画板支持台２３０は、前方支持脚２２１、２２２の第１単位脚管に設けられた結合具２３２に結合される多数の結合孔を有するので、画板の大きさに応じて、支持脚の拡開程度に鑑みて結合具２３２に結合されるように調節することができる。
【００２６】
図６は本考案の変形実施形態によるイーゼルの斜視図、図７ａは、本考案の変形実施形態によるイーゼルにおいて、支持棒２５０が前方支持脚２２１、２２２と後方支持脚２２３、２２４の第１単位脚管の固定クランプ２２１ｂ、２２２ｂ、２２３ｂ、２２４ｂに連結された状態を示す断面図、図７ｂは、本考案の変形実施形態によるイーゼルにおいて、支持棒２５０が前記固定クランプ２２１ｂ、２２２ｂ、２２３ｂ、２２４ｂから分離された状態を示す断面図である。以降の説明において、第１実施形態と同一な構成要素には同一符号を付して説明する。
【００２７】
本考案の変形実施形態によると、前方支持脚２２１、２２２と後方支持脚２２３、２２４との間に支持棒２５０を連結することにより、風などによる前方支持脚と後方支持脚の予期しない折畳みを防止することができることを特徴とする。
【００２８】
具体的に、前方および後方支持脚の第１単位脚管の固定クランプ２２１ｂ、２２２ｂ、２２３ｂ、２２４ｂに略半球形の結合凹部２２１ｃ、２２２ｃ、２２３ｃ、２２４ｃが形成され、これら結合凹部に亜鈴状の支持棒２５０の結合部２５２が挿合される。このような構成によると、支持脚の拡開程度に応じて支持棒２５０が回転可能な利点がある。
【００２９】
このように構成される本考案によるイーゼル用メインフレームおよびこれを含むイーゼルは、従来の五徳型イーゼルの根本的な不安定性を画期的に解決して、五徳型イーゼルの移動および保管の便利性を最大限生かし、室内だけでなく室外でも安定に画板などを支持することができる非常に有用な考案である。
【００３０】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【産業上の利用可能性】
【００３１】
本考案は、画板またはキャンバスを安定に支持するイーゼルに適用可能である。
【図面の簡単な説明】
【００３２】
【図１】従来技術の一形態によるイーゼルを示す斜視図である。
【図２】本考案の第１実施形態によるイーゼルを示す斜視図である。
【図３】図２のイーゼルを全く折畳んだ状態を示す斜視図である。
【図４】本考案の第１実施形態によるイーゼルにおいて、支持脚が結合されたメインフレームを示す横断面図である。
【図５】本考案の第１実施形態によるイーゼルにおいて、メインフレームに支持脚が結合される状態を示す斜視図である。
【図６】本考案の変形実施形態によるイーゼルを示す斜視図である。
【図７ａ】本考案の変形実施形態によるイーゼルの支持棒がクランプに結合された状態を示す断面図である。
【図７ｂ】本考案の変形実施形態によるイーゼルの支持棒がクランプから分離される状態を示す断面図である。
【符号の説明】
【００３３】
２００    イーゼル
２１０    メインフレーム
２１２    一字部
２１４、２１６    延長部
２１８    支持バー固定具
２１９    支持バー通過孔
２２１、２２２    前方支持脚
２２１ａ、２２１ｂ、２２２ａ、２２２ｂ、２２３ａ、２２３ｂ、２２４ａ、２２４ｂ    固定クランプ
２２１ｃ、２２２ｃ、２２３ｃ、２２４ｃ    挿合凹部
２２３、２２４    後方支持脚
２２６    谷部
２２７    結合孔
２２８    固定ボルト
２２９    固定ナット
２３０    画板支持台
２３２    結合具
２４０    支持バー
２４２    画板上部固定具
２５０    支持棒
２５２    挿合部
【図１】
0003111408.tif 000003
【図２】
0003111408.tif 000004
【図３】
0003111408.tif 000005
【図４】
0003111408.tif 000006
【図５】
0003111408.tif 000007
【図６】
0003111408.tif 000008
【図７ａ】
0003111408.tif 000009
【図７ｂ】
0003111408.tif 000010
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
イーゼルにおいて、
画板の背面を支持するメインフレームと、
前記メインフレームの下端に、長さ調整が可能で一定角度に拡開および折畳み可能であるように軸支され、前記メインフレームを支持する支持脚と、
前記支持脚に設けられた支持台結合具に結合される画板支持台とを含んでなり、
前記メインフレームの下端部に軸支される支持脚が４本であることを特徴とするイーゼル。
【請求項２】
前記メインフレームは、
２本の前方支持脚を軸支するため、左右側に結合孔を有する一字部と、
前記一字部の左右側から放射状に伸び、２本の後方支持脚を軸支するため、結合孔を有する延長部とを含んでなることを特徴とする請求項１に記載のイーゼル。
【請求項３】
互いに対向する前記前方支持脚と前記後方支持脚の部分にそれぞれ半球形挿合凹部が形成され、前記挿合凹部に亜鈴形支持棒の両端部の挿合部が着脱可能に挿合されることを特徴とする請求項２に記載のイーゼル。
【請求項４】
前記支持脚は断面方形の管部材からなり、その外周面には多数の谷部が形成され、伸縮して長さ調整された単位脚管は固定クランプにより互いに固定されることを特徴とする請求項１〜３のいずれか一項に記載のイーゼル。